(57)【要約】【課題】本発明は、二次元コード媒体を元に、データ授受とメッセージ授受を、二次元コード媒体を発行し、見られる可能性のあるところに置く若しくは送るなどして公開した際は、秘匿性若しくは匿名性に課題がある。【解決手段】個人若しくは会社などの組織６が、自由に二次元コード媒体１を作り、所有する傘などに貼り付ける。前記媒体を、読み取る装置２を用いてコンピュータ４に任意情報若しくは個人情報を登録する。その情報をデータ保存装置５に保存する。該傘をなくした後に、該傘を取得した不特定多数の者７が、該二次元コードを読み取る装置３にて読み取り、情報がコンピュータ４を経由しデータ保存装置５にその情報の有無を確認し、６が登録した任意情報若しくは個人情報を閲覧する。また、７がメッセージを送ることで、６は該傘の所在が判明する。その際の７の匿名性は個人情報を送信する必要が無く保たれる。【選択図】図１
2005174269.tif 000002
【特許請求の範囲】
【請求項１】
二次元コードの媒体と、前記媒体を読み取る装置と、前記読み取る装置とネットワーク接続可能なコンピュータと、において、
上記コンピュータは、
前記読み取る装置と前記ネットワークにて接続可能であり、
該読み取る装置から該二次元コード情報を受け取り記憶保存する登録手段と、
該コンピュータに事前に該二次元コード情報が記憶保存されているかを調査する      検索手段と、
該検索結果を該読み取る装置に返答する手段と、
該検索結果に該当する物が無い場合、任意のＩＤを付加させて該二次元コード情      報と該ＩＤとの組合せて記憶保存する登録手段と、
該ＩＤを該読み取る装置に返答する手段と、
該二次元コード情報と該ＩＤとの組合せを承認する手段と、
該承認後に該読み取る装置の使用者が、任意の情報若しくは個人情報を、該ネッ      トワークを介して記入し記憶保存する追加登録手段と、
該追加登録された内容を随時追記若しくは変更する、変更手段と、
公開する項目を選択する手段と、
該追加登録された内容を公開する手段と、
前記検索結果に該当する物がある場合、ＩＤ認証を行う手段と、
該認証を行わない若しくは承認されない場合、新たに任意のＩＤを付加させて該      二次元コード情報と該ＩＤとを組合せて記憶保存する登録手段と、
新たなＩＤでの該認証後に該読み取る装置の使用者が、任意の情報若しくは個人      情報を、該ネットワークを介して記入し記憶保存する追加登録手段と、
該追加登録された内容を随時追記若しくは変更する、変更手段と、
公開する項目を選択する手段と、
該追加登録された内容を公開する手段と、
該二次元コードの同一性をもって、該登録情報若しくは該追加登録情報を組合せ      る手段と、
該二次元コードと該ＩＤの組合せにより、第一の登録者若しくは第二の登録者を判    別する手段と、
該判別後に、該追加情報の公開内容を区別する手段と、
を、有し、
上記二次元コード媒体は、情報として、ユニークなデータを、記載したものであり、
上記読み取る装置は、前記二次元コード媒体を読み取り、情報をデータ化することが可  能であり、
これらを備えることを特徴とする、二次元コードを複数人の間に介す、秘匿性若しくは匿名性のある情報閲覧ならびに登録者による制御を行う、個人情報管理システム。
【請求項２】
請求項１において、前記読み取る装置に、二次元コードを撮影する装置と、二次元コードを認識する装置と、を内蔵する携帯電話を使用することに特徴をもつ携帯電話を用いた、請求項１の個人情報管理システム。
【発明の詳細な説明】
【技術分野】
【０００１】  本発明は、二次元コードとその読み取る装置とをネットワークを介し、秘匿性若しくは匿名性を保ち情報を閲覧若しくは情報交換するためのシステムに関する。
【背景技術】
【０００２】  二次元コードとは、二次元若しくはそれ以上の次元にてコード化された電子化情報媒体であり、バーコードやＱＲコード（Ｒ）がそれらには含まれる。二次元コードは、ＱＲコード（Ｒ）を代表とする技術が提供され、規格化（ＪＩＳ  Ｘ  ０５１０）されている。国内携帯３キャリアはＱＲコードを使うサービスの規格統一を進めている。（平成１５年８月１２日日本経済新聞朝刊）【０００３】  読み取る装置は、バーコードリーダとして販売されている。また、近年のカメラ付携帯電話では、読み取る装置が機能として内蔵されている。【０００４】  ネットワーク、インターネットに代表とされる公共性の高いネットワークから一般に公開されていないローカルなネットワークまで、様々な技術が既に汎用的に利用されている。また、コンピュータは、データ保存装置が付加される形で、サーバコンピュータとして、汎用的に販売されており、技術的には既知の物として存在している。
【発明の開示】
【発明が解決しようとする課題】
【０００５】  本発明は、二次元コード媒体を元に、データ授受とメッセージ授受を、二次元コード媒体を発行し、見られる可能性のあるところに置く若しくは送るなどして公開した際は、秘匿性若しくは匿名性に課題がある。それらを双方に補完しあうことで見出し、発明に至った。それらをシステム化し、個人情報管理可能な情報交換システムを提供することにある。
【発明を解決するための手段】
【０００６】  前記の課題を解決するための手段は、次の通りである。
請求項１の発明は、二次元コードを用いた、読み取る装置とそれらをネットワークで接続可能なコンピュータシステムにおける、個人情報情報管理可能なシステムある。
詳しくは、
二次元コードの媒体と、前記媒体を読み取る装置と、前記読み取る装置とネットワーク接続可能なコンピュータと、において、
上記コンピュータは、
前記読み取る装置と前記ネットワークにて接続可能であり、
該読み取る装置から該二次元コード情報を受け取り記憶保存する登録手段と、
該コンピュータに事前に該二次元コード情報が記憶保存されているかを調査する      検索手段と、
該検索結果を該読み取る装置に返答する手段と、
該検索結果に該当する物が無い場合、任意のＩＤを付加させて該二次元コード情      報と該ＩＤとの組合せて記憶保存する登録手段と、
該ＩＤを該読み取る装置に返答する手段と、
該二次元コード情報と該ＩＤとの組合せを承認する手段と、
該承認後に該読み取る装置の使用者が、任意の情報若しくは個人情報を、該ネッ      トワークを介して記入し記憶保存する追加登録手段と、
該追加登録された内容を随時追記若しくは変更する、変更手段と、
公開する項目を選択する手段と、
該追加登録された内容を公開する手段と、
前記検索結果に該当する物がある場合、ＩＤ認証を行う手段と、
該認証を行わない若しくは承認されない場合、新たに任意のＩＤを付加させて該      二次元コード情報と該ＩＤとを組合せて記憶保存する登録手段と、
新たなＩＤでの該認証後に該読み取る装置の使用者が、任意の情報若しくは個人      情報を、該ネットワークを介して記入し記憶保存する追加登録手段と、
該追加登録された内容を随時追記若しくは変更する、変更手段と、
公開する項目を選択する手段と、
該追加登録された内容を公開する手段と、
該二次元コードの同一性をもって、該登録情報若しくは該追加登録情報を組合せ      る手段と、
該二次元コードと該ＩＤの組合せにより、第一の登録者若しくは第二の登録者を判    別する手段と、
該判別後に、該追加情報の公開内容を区別する手段と、
を、有し、
上記二次元コード媒体は、情報として、ユニークなデータを、記載したものであり、
上記読み取る装置は、前記二次元コード媒体を読み取り、情報をデータ化することが可  能であり、
これらを備えることを特徴とする、二次元コードを複数人の間に介す、秘匿性若しくは匿名性のある情報閲覧ならびに登録者による制御を行う、個人情報管理システム。
【０００７】  請求項２の発明は、二次元バーコードを読み取る装置に、カメラ付き携帯電話を用いる個人情報管理可能なシステムである。
詳しくは、
請求項１において、前記読み取る装置に、二次元コードを撮影する装置と、二次元コードを認識する装置と、を内蔵する携帯電話を使用することに特徴をもつ携帯電話を用いた、請求項１の個人情報管理システム。
【発明の効果】
【０００８】  本発明は、二次元コードを媒体にすることで、個人情報を公開せずに、秘匿性若しくは匿名性のある情報交換が可能となる。複数人の間で、二次元コード媒体を共用し、該媒体を核に情報交換可能となる。
また、携帯電話にカメラが付属されていることが、一般化してきていることで、読み取る装置の汎用性を高めることが可能となり、誰でもどこでも二次元コードを個人自身で登録することが可能となり、データ授受、メッセージ授受が、そのまま可能となる。
【発明を実施するための最良の形態】
【０００９】  図１及び図２にて説明する。個人若しくは会社などの組織が、自由に二次元コード１を作成する。その時、第一の使用者６が読み取る装置Ａ２にて該二次元コードを読み取り、同時に読み取る装置のＩＤを付加し、コンピュータに送信する。コンピュータ４には、データ記憶装置５が付属されており、該データ記憶装置に保存する。保存の際に、コンピュータから個人情報の入力を求め、同時に該個人情報の開示項目を選択する。該二次元コードが別の者に渡り、それを見た、第二の使用者７が前記読み取る装置とは別の読み取る装置Ｂ３を用い、該二次元コードを読み取り、同時に読み取る装置のＩＤを付加し、コンピュータに送信する。二次元コードデータが同一の場合、読み取る装置のＩＤを参照し、別のＩＤの時、前記第一の使用者が設定した個人情報の開示項目に従い、情報を閲覧できる。
ＩＤが同一であった場合は、同一使用者による該個人情報の再設定とみなし、個人情報の入力が再度可能であり、個人情報の開示項目の再設定が可能である。
また、二次元コードが、前記コンピュータに登録されていない場合、第二の使用者が個人情報を入力することが可能であり、該個人情報の開示項目の選択が可能となる。その後、該二次元コードを作成した者（この場合第一の使用者）が、第二の使用者と別の読み取る装置で二次元コードを読み取り、コンピュータに送信することで、別ＩＤからコンピュータに登録済みの二次元コードデータとなり、第二の使用者が選択した個人情報の開示項目を閲覧することが可能である。
【実施例１】
【００１０】  落し物に二次元コードを貼り付ける事を例にあげ説明する。また、読み取る装置には、カメラ付携帯電話を用いることとし説明する。前記コンピュータは、図３の様にインターネット等の高度情報網に接続されており、読み取る装置（この場合カメラ付携帯電話）も該情報網に接続可能である。前記コンピュータにはサーバ機能を有し、前記の様にデータ保存装置を有している。そのサーバ機能とは、図４の機能がある。また、二次元コードには、ＱＲコード（Ｒ）を用い、その中にはインターネットの番地を表すＵＲＬと、使用者を表す番号と、一つの二次元コード媒体を示す追い番号と、を記載しておく。
傘など落とす可能性のある物に、二次元コードを貼り付けておく。それを貼ると同時にカメラ付携帯電話で二次元コードを読み取り、前記高度情報網を介し、コンピュータに送信する。その際に該カメラ付携帯電話のＩＤを付加し、コンピュータに送信する。送信の際に図５の様にコンピュータからメッセージが伝送され、それに答えることで登録を完了させる。その後、該傘を無くし、他人が拾った際に、読み取る装置（この場合カメラ付携帯電話とは限らない）にて読み取りを行い、前期高度情報網を介しコンピュータに二次元コードデータを送信する。その際に、読み取る装置のＩＤを付加させることで、傘に二次元コードを貼り付けた第一の使用者と区別ができ、第二の使用者となる。二次元コードがマッチングし場合、図６の様にコンピュータからメッセージが伝送され、第一の使用者が入力し開示項目に選択した個人情報を閲覧することが出来る。その閲覧を元に、第二の使用者は、第一の使用者に連絡を取ることが可能となる。また、前記コンピュータにて新たなＩＤを発行することが可能で、その場を通じメッセージ交換が可能となり、互いの連絡手段となる。
【図面の簡単な説明】
【００１１】
【図１】  ハードウエア構成
【図２】  コンピュータ処理流れ図
【図３】  ネットワーク図
【図４】  コンピュータ機能イメージ図
【図５】  画面遷移図１
【図６】  画面遷移図２
【符号の説明】
【００１２】１  二次元コード媒体
２  二次元コードを読み取る装置Ａ
３  二次元コードを読み取る装置Ｂ
４  コンピュータ
５  データ保存装置
６  第一の使用者（二次元コード媒体の発行者兼読み取る装置Ａの使用者）
７  第二の使用者（二次元コード媒体の取得者兼読み取る装置Ｂの使用者）
【図１】
2005174269.tif 000003
【図２】
2005174269.tif 000004
【図３】
2005174269.tif 000005
【図４】
2005174269.tif 000006
【図５】
2005174269.tif 000007
【図６】
2005174269.tif 000008